(57)【要約】【課題】形や大きさの異なる果実を同一ケースに収納できるようにする。【解決手段】果実（１ａ、１ｂ・・・１ｎ）の中の比較的大きなものの底部に馴染むことができる浅い凹部（１１ａ、１１ｂ・・・１１ｎ）を整列して設けた少なくとも上面が柔軟性のあるトレー（１０）と、トレーの上側に配置され、前記凹部のそれぞれのに対向して果実の一部を貫通させて周辺から支えるための切り込み孔（２１ａ、２１ｂ・・・２１ｎ）を設けた柔軟性のある果実支持シート（２０）を備える。切り込み孔は、前記凹部のそれぞれの中心の真上から放射状に設けた切り込みによって形成する。トレー、あるいは果実支持シートに、一部を変形あるいは折り曲げて作ったスペーサ部（１２ａ、１２ｂ・・・１２ｎ）を設けてもよいし、別にスペーサを用意して、それを使用してもよい。【選択図】　　　　図１
2004099044.tif 000002
【特許請求の範囲】
【請求項１】
不揃いな大きさの果実をケースに入れて包装するためのケース内果実用クッション体であって、
前記果実の中の比較的大きなものの底部に馴染むことができる複数の浅い凹部を整列して設けた少なくとも上面が柔軟性のあるトレーと、
前記トレーの上側に前記浅い凹部のそれぞれのに対向して配置され、前記果実の一部を貫通させたときに、その貫通部分に対応して変形可能な切り込み孔を設けた柔軟性のある果実支持シートと、
を含むケース内果実用クッション体。
【請求項２】
請求項１に記載のケース内果実用クッション体において、
前記果実支持シートの切り込み孔は、前記浅い凹部のそれぞれの中心の真上から放射状に設けた切り込みによって形成されること
を特徴とするケース内果実用クッション体。
【請求項３】
請求項２に記載のケース内果実用クッション体において、
前記トレーか前記果実支持シートのいずれかに、前記果実支持シートの上下の位置を規制するために一部を変形して設けたスペーサ部を含むこと
を特徴とするケース内果実用クッション体。
【請求項４】
請求項２に記載のケース内果実用クッション体において、
前記トレーと前記果実支持シートとの間、又は、前記果実支持シートと前記果実を収納すべきケースの上部内側面との間、のいずれかの間隔を所定の距離に保つためのスペーサを配置すること
を特徴とするケース内果実用クッション体。
【発明の詳細な説明】
【０００１】
【発明の属する技術分野】
本発明は、桃、リンゴ、梨などの果実を、梱包して運搬する際に使用するケース内果実用クッション体に関し、特に、不揃いな大きさの果実を、遊びがなく、柔軟に支えることによって、どの果実をも傷つけないで、同一ケース内に詰めることができるようにしたケース内果実用クッション体に関するものである。
【０００２】
【従来の技術】
従来、皮が薄く柔らかい果実を包装するためのクッション体は、一般に、多数の椀形の収納凹部を有する果実用トレーが多く用いられている。
これらのトレーは、果実の表面を傷つけないために、比較的保形性のよいシート（樹脂シート等）の内側に、果実に当触感のよいシート（発泡シート等）を配した２層構造のものが多くなっている。
【０００３】
また、果実が同一重量のものであっても、形状、直径が一定しないので、これらに対応するために、内側を柔軟層、その外側を樹脂層の２層構造とし、内側の柔軟層と外側の樹脂層を、収納凹部の開口部から側壁上部にかけて両層間に空隙を保有するように、少なくとも収納凹部の底部で接合し、柔軟層を空隙の範囲内で弾性変形可能にし、これで果実の直径差を吸収するものがある（例えば、特許文献１参照。）。
また、果実収納部の周縁部に複数の独立した凸部を形成し、その凸部の果実収納部側側面は、上に向けて拡がる傾斜面とし、この凸部の周壁によって果実を保持するものがある（例えば、特許文献２参照。）。
【０００４】
【特許文献１】
特開平７−１２５７８２号公報（第３−６頁、図３）
【特許文献２】
特開平１１−３４９０７３号公報（第２−５頁、図１）
【０００５】
【発明が解決しようとする課題】
上記の果実収納方法は、果実栽培の規模が大きく、対象とする果実を多数の中から選択し、クラス別に分類することが容易な場合の出荷に適している。
しかし、小さい規模の場合は、一つのケースに入れようとする果実の大きさや形状を同一に揃えることが難しく、従来の技術では、果実の個々の形状や大きさの差を、吸収しきれないという問題がある。
一方、消費者の健康指向や安全重視傾向が進み、少々形や大きさが不揃いであっても、安心できるものを入手したいという要望が高まっている。
この要望は、消費者と生産者を直結する産地直配の流通が拡大するに従って、ますます大きくなりつつある。
【０００６】
本発明の課題は、従来技術では同一ケースに収容できないような形や大きさの異なる果実を、傷つけることなく安心して運搬できるような、ケース内果実用クッション体を提供することである。
【０００７】
【課題を解決するための手段】
前記課題を解決するために、請求項１の発明は、不揃いな大きさの果実（１ａ、１ｂ・・・１ｎ）をケースに入れて包装するためのケース内果実用クッション体であって、前記果実（１ａ、１ｂ・・・１ｎ）の中の比較的大きなものの底部に馴染むことができる複数の浅い凹部を整列して設けた少なくとも上面が柔軟性のあるトレー（１０）と、前記トレー（１０）の上側に前記浅い凹部（１１ａ、１１ｂ・・・１１ｎ）のそれぞれのに対向して配置され、前記果実（１ａ、１ｂ・・・１ｎ）の一部を貫通させたときに、その貫通部分に対応して変形可能な切り込み孔（２１ａ、２１ｂ・・・２１ｎ）を設けた柔軟性のある果実支持シート（２０）と、を含むケース内果実用クッション体である。
【０００８】
請求項２の発明は、請求項１に記載のケース内果実用クッション体において、前記果実支持シート（２０）の切り込み孔（２１ａ、２１ｂ・・・２１ｎ）は、前記浅い凹部（１１ａ、１１ｂ・・・１１ｎ）のそれぞれの中心の真上から放射状に設けた切り込みによって形成されることを特徴とするケース内果実用クッション体である。
【０００９】
請求項３の発明は、請求項２に記載のケース内果実用クッション体において、前記トレー（１０）か前記果実支持シート（２０）のいずれかに、前記果実支持シート（２０）の上下の位置を規制するために一部を変形して設けたスペーサ部（１２ａ、１２ｂ・・・１２ｎ）を含むことを特徴とするケース内果実用クッション体である。
【００１０】
請求項４の発明は、請求項２に記載のケース内果実用クッション体において、前記トレー（３０）と前記果実支持シート（４０）との間、又は、前記果実支持シート（４０）と前記果実（１ａ、１ｂ・・・１ｎ）を収納すべきケース（２）の上部内側面（２ａ）との間、のいずれかの間隔を所定の距離に保つためのスペーサ（５０）を配置することを特徴とするケース内果実用クッション体である。
【００１１】
【発明の実施の形態】
以下、図面等を参照して、本発明のの実施形態について、さらに詳しく説明する。
図１は、本発明の実施形態の一部を示す斜視図である。
図２は、図１のケース内果実用クッション体の使用例を示す斜視図である。
図３は、図２のケースの上蓋を除いて示した平面図である。
図４は、図３のＡ−Ａで切断して示した断面図である。
図５は、図３のＢ−Ｂで切断して示した断面図である。
【００１２】
図１〜図５に示すように、本実施形態のケース内果実用クッション体には、ケース２に入れようとする果実に対応するの数の凹部１１ａ、１１ｂ・・・１１ｎを整列して設けた上面が柔軟性のあるトレー１０と、トレー１０の上側に配置され、凹部１１ａ、１１ｂ・・・１１ｎに対応する切り込み孔２１ａ、２１ｂ・・・２１ｎを設けた柔軟性のある果実支持シート２０とを組み合わせている。
【００１３】
凹部１１ａ、１１ｂ・・・１１ｎは、収容しようとする果実１ａ、１ｂ・・・１ｎの中の、比較的大きなものの底部に馴染むことができるような浅い凹部である。
これは、凹部１１ａ、１１ｂ・・・１１ｎの窪みの曲率より果実の底部の曲率の方が小さい場合は、あまり問題はないが、逆の場合は、凹部１１ａ、１１ｂ・・・１１ｎの周縁のシート上面との境界部分で、柔らかい果実の表面を傷つけやすいからである。
【００１４】
トレー１０の上面の、凹部１１ａ、１１ｂ・・・１１ｎの間に設けられている突起１２ａ、１２ｂ・・・１２ｎは、トレー１０と果実支持シート２０の間隔を適宜に保つことによって、果実支持シート２０を果実の支持のために、最もよい高さに規制するためのものである。
トレー１０の材質は、従来のトレーと同様に、樹脂シート等の比較的保形性のよいシートの内側に、発泡シート等の果実に当触感のよいシートを配した２層構造のものでよい。
【００１５】
切り込み孔２１ａ、２１ｂ・・・２１ｎは、浅い凹部１１ａ、１１ｂ・・・１１ｎに対向して、それぞれの上側に配置され、それぞれの中心から放射状に複数の切り込みが設けられている。
切り込み孔２１ａ、２１ｂ・・・２１ｎは、果実１ａ、１ｂ・・・１ｎの一部を、上から下へ、あるいは、下から上へ貫通させて、そのとき、その孔を押し広げ、その押し広げられた部分の内面で周囲から果実を支えるためのものである。図１〜図５の場合は、上から下へ貫通させる例を示している。
果実支持シート２０の材質は、スポンジ状の発泡シートのように、果実への当触感がよく、ある程度腰があって、しなやかに曲げることができるものが適している。
【００１６】
（変形形態）
以上説明した実施形態に限定されることなく、種々の変形や変更が可能であって、それらも本発明の均等の範囲内である。
たとえば、図１〜図５に示すトレー１０における突起１２ａ、１２ｂ・・・１２ｎをトレー上に設けず、別個にスペーサを用意してもよい。
スペーサは、上下方向に一定距離を保持するため、一方向に強く安価な片面段ボール、あるいは、両面段ボールが適している。
【００１７】
図６及び図７に、片面段ボールで構成したスペーサ４５を使用する実施形態を示す。
図６は、トレー３０上の果実の上から果実支持シート４０を押しつけて、果実１ａ　１ｂ・・・１ｎの一部を、下から上へ貫通させて支える場合の状態の一部を、図４に準じて切断して示した断面図である。
図６の実施形態では、トレー３０には、図４に示した突起１２ａ、１２ｂ・・・１２ｎに相当するものがなく、ケース２の上蓋の内面２ａと果実支持シート４０の間に適当な距離を保つために、スペーサ４５が挿入してある。
ここにスペーサ４５を挿入するのは、果実を下から上へ貫通させる場合は、果実支持シート４０に各果実による押し上げ力が働くからである。
図中の３２は、トレー３０上に載せて果実１ｂの底を高くするための座布団シートであって、果実１ｂが特に小さい場合に、果実支持シート４０を貫通する位置を調節するためのものであるが、通常その必要は殆どない。
【００１８】
図７は、図６と同様の状態を示す斜視図である。図６の場合は、スペーサ５０は、幅が所定の間隔を保つための寸法に選ばれた、帯状の片面段ボールの端と端をステープルで止めて輪とし、果実のあるところを避けて、果実支持シート４０の上面上に置き、その状態でケース２の上蓋を閉めると、果実支持シート４０が果実１ａ　１ｂ・・・１ｎを、トレー３０上に押しつけ、切り込み孔４１ａ、４１ｂ・・・４１ｎによって果実１ａ　１ｂ・・・１ｎを周囲から支える。
【００１９】
図８は、他のケース内果実用クッション体の組み合わせを示す説明図（平面図）である。
図８の場合は、トレー５０の上に果実支持シート６０を配置し、果実支持シート６０の下側にスペーサ７０ａを、上側にスペーサ７０ｂを挿入して、図示しないケース内で動かないように支えるようにしたものである。
図８において、点線で示したスペーサ７０ａは、トレー５０と果実支持シート６０との間隔を規制し、実線で示したスペーサ７０ｂは、果実支持シート６０と図示しないケースの上蓋の間隔を規制する。
このように、スペーサ７０ａ、７０ｂで上下から支持する場合は、果実支持シート６０の素材に、より一層柔らかいものを選ぶことができるので、完熟した桃のような表皮の柔らかいものの梱包に最適である。
【００２０】
図９は、果実１ａ　１ｂ・・・１ｎを図２（図３）のように縦横の枡目に沿うように配置してケースに入れられる場合に使用して便利なスペーサ８０を示す説明図である。
図９のＥは、斜視図で示すスペーサ８０を構成する部品８１ａ、８１ｂ〜８１ｄの一つを示す正面図である。図９のＦは、スペーサ８０を構成する部品８２ａ、８２ｂ〜８１ｅの一つを示す正面図である。
【００２１】
部品８１ａ、８１ｂ〜８１ｄおよび８２ａ、８２ｂ〜８１ｅの素材は、段ボールが適当である。
部品８１ａ、８１ｂ〜８１ｄの切り欠き溝ｃと部品８２ａ、８２ｂ〜８１ｅの切り欠き溝ｄを、適当に組み合わせて嵌め合わせることによって、スペーサ８０を構成することができる。
果実支持シートの下側又は上側、あるいは、その両側にスペーサ８０を挿入することにより、ケース内の果実支持シートの位置を不変に保つことができる。
【００２２】
上記に説明した変形例は、単なる一例であって、その他、果実支持シートの切り込みの放射線の数の他、切り込み孔の形状についても、特に図示はしないが、線状でない他の模様の形をしていてもよい。
その他、スペーサの形や構造などについても、種々の変形が考えられるが、いずれも本発明に含まれる。
【００２３】
【発明の効果】
以上詳しく説明したように、本発明によれば、従来技術によるトレーの上方に、果実の大きさに対応して変形可能な孔で周囲から支える果実支持シートを備えることにより、底部の他に中央部付近でも果実を柔軟に支持することができるので、一つのケースに入れる果実の大きさに不同があっても、各接触面における当たりが優しく、果実の表面を傷つける恐れがない、という効果がある。
【図面の簡単な説明】
【図１】本発明の実施形態の一部を示す斜視図である。
【図２】図１の実施形態の使用例を示す斜視図である。
【図３】図２のケースの上蓋を除いて示した平面図である。
【図４】図３のＡ−Ａで切断して示した断面図である。
【図５】図３のＢ−Ｂで切断して示した断面図である。
【図６】スペーサを使用する実施形態を切断して示した断面図である。
【図７】図６と同様の状態を示す斜視図である。
【図８】果実支持シートを上と下からスペーサで支える例を示す説明図（平面図）である。
【図９】他のスペーサの例を示す説明図である。
【符号の説明】
１ａ、１ｂ〜１ｎ、４ａ、４ｂ〜４ｎ　果実
２、３　ケース
１０、３０、５０　トレー
１１ａ，１１ｂ〜１１ｎ　凹部
１２ａ，１２ｂ〜１２ｎ　突起
２０、４０、６０　果実支持シート
２１ａ，２１ｂ〜２１ｎ、４１ａ，４１ｂ〜４１ｎ　切り込み孔
４５、７０ａ、７０ｂ、８０　スペーサ
【図１】
2004099044.tif 000003
【図２】
2004099044.tif 000004
【図３】
2004099044.tif 000005
【図４】
2004099044.tif 000006
【図５】
2004099044.tif 000007
【図６】
2004099044.tif 000008
【図７】
2004099044.tif 000009
【図８】
2004099044.tif 000010
【図９】
2004099044.tif 000011